(57)【要約】【課題】敷居案内溝に入った異物を確実に排除するエレベータドア案内装置の提供。【解決手段】エレベータドア案内装置は、出入口敷居に設けられた案内空間を形成する一対の案内側面と底面とを持つ案内溝と、ドアに設けられ、案内溝の案内側面によって進行方向側面を案内されるドアシューとを備えている。案内溝は、案内側面に設けられて、案内空間に少なくとも部分的に連通した退避空間を備えており、案内溝内の異物は、ドアシューにより案内空間から退避空間に排除される。【効果】エレベータ出入口敷居の案内溝に入った異物を大きな確率で排除できる。【選択図】図１
2010058862.tif 000002
【特許請求の範囲】
【請求項１】
エレベータの出入口の敷居に設けられ、互いに平行で対向して間に案内空間を形成する一対の案内側面と底面とを持つ案内溝と、
上記出入口を開閉するドアに設けられ、上記案内空間内で、上記案内側面によって進行方向側面の被案内側面を案内されて、上記ドアを上記敷居に沿って案内するドアシューとを備えたエレベータドア案内装置において、
上記案内溝が、上記案内側面に設けられて、上記案内空間に少なくとも部分的に連通した退避空間を備え、
もって上記案内溝内に進入した異物を、上記ドアシューにより上記案内空間から上記退避空間に排除することを特徴とするエレベータドア案内装置。
【請求項２】
上記退避空間が、外部空間に連通した排出口を持っていて、上記案内空間から上記退避空間に排除された異物が上記外部空間に排除できることを特徴とする請求項１に記載のエレベータドア案内装置。
【請求項３】
上記退避空間が、上記排出口でもあり、上記退避空間は上記案内溝の長さ方向に部分的に設けられていることを特徴とする請求項１あるいは２に記載のエレベータドア案内装置。
【請求項４】
上記退避空間が、上記案内溝の全長に亘って延びており、上記排出口が上記案内溝の長さ方向に部分的に設けられていることを特徴とする請求項１〜３のいずれか一項に記載のエレベータドア案内装置。
【請求項５】
上記退避空間が、上記案内溝の両側にあることを特徴とする請求項１〜４のいずれか一項に記載のエレベータドア案内装置。
【請求項６】
上記退避空間が、上記案内溝の一側で全長に亘って延び、上記排出口が上記案内溝側方で上記案内溝の長さ方向に部分的に設けられていることを特徴とする請求項１〜４のいずれか一項に記載のエレベータドア案内装置。
【請求項７】
上記退避空間が、上記案内溝の全長の部分的に設けられ、上記排出口が上記退避空間に連通して上記案内溝の底部に設けられていることを特徴とする請求項１〜６のいずれか一項に記載のエレベータドア案内装置。
【請求項８】
上記ドアシューが、上記案内溝の上記案内側面によって案内される被案内側面と、上記案内空間内に侵入した異物を排除する排除手段とを備えたことを特徴とする請求項１〜７のいずれか一項に記載のエレベータドア案内装置。
【請求項９】
エレベータの出入口の敷居に設けられ、互いに平行で対向して間に案内空間を形成する一対の案内側面と底面とを持つ案内溝と、
上記出入口を開閉するドアに設けられ、上記案内空間内で、上記案内側面によって進行方向側面の被案内側面を案内されて、上記ドアを上記敷居に沿って案内するドアシューとを備えたエレベータドア案内装置において、
上記ドアシューが、上記案内溝の上記案内側面によって案内される被案内側面と、上記案内空間内に侵入した異物を排除する排除手段とを備えたことを特徴とするエレベータドア案内装置。
【請求項１０】
上記排除手段は、上記案内空間内から上記退避空間に向かって異物を押し出す方向に傾斜した傾斜面であることを特徴とする請求項９に記載のエレベータドア案内装置。
【請求項１１】
上記排除手段は、上記案内空間内で回転する羽根車であることを特徴とする請求項１０に記載のエレベータドア案内装置。
【発明の詳細な説明】
【技術分野】
【０００１】
本発明はエレベータドア案内装置に関し、特に、エレベータの出入口の敷居に設けられた案内溝によって案内されて、ドアを敷居に沿って案内するドアシューとを備えたエレベータドア案内装置に関するものである。
【背景技術】
【０００２】
従来のエレベータドア案内装置は、エレベータの出入口の敷居に設けられ、互いに平行で対向して間に案内空間を形成する一対の案内面と底面とを持つ案内溝と、出入口を開閉するドアに設けられ、案内空間内で、案内面によって進行方向側面を案内されて、ドアを敷居に沿って案内するドアシューとを備えている。案内溝にはごみや小石等の異物が入り込んだ場合にも、ドアシューによって案内溝内を移動させられて、案内溝の底面に設けた長穴から外部に排出できるようにしてある（例えば特許文献１参照）。
【０００３】
【特許文献１】実開昭５３−９９７５７号公報
【発明の開示】
【発明が解決しようとする課題】
【０００４】
このような従来のエレベータドア案内装置に於いては、案内溝内に入った異物が案内溝の案内面とドアシューとの間の間隙に噛んでしまうことがあり、そのような場合にはドアの開閉ができなくなってしまう。
【０００５】
従ってこの発明の目的は、出入口敷居の案内溝に入った異物を確実に排除できるエレベータドア案内装置を提供することである。
【課題を解決するための手段】
【０００６】
この発明のエレベータドア案内装置は、エレベータの出入口の敷居に設けられ、互いに平行で対向して間に案内空間を形成する一対の案内側面と底面とを持つ案内溝と、上記出入口を開閉するドアに設けられ、上記案内空間内で、上記案内側面によって進行方向側面の被案内側面を案内されて、上記ドアを上記敷居に沿って案内するドアシューとを備えたエレベータドア案内装置において、上記案内溝が、上記案内側面に設けられて、上記案内空間に少なくとも部分的に連通した退避空間を備え、もって上記案内溝内に進入した異物を、上記ドアシューにより上記案内空間から上記退避空間に排除することを特徴とするエレベータドア案内装置である。
【０００７】
また、この発明のエレベータドア案内装置は、エレベータの出入口の敷居に設けられ、互いに平行で対向して間に案内空間を形成する一対の案内側面と底面とを持つ案内溝と、上記出入口を開閉するドアに設けられ、上記案内空間内で、上記案内側面によって進行方向側面の被案内側面を案内されて、上記ドアを上記敷居に沿って案内するドアシューとを備えたエレベータドア案内装置において、上記ドアシューが、上記案内溝の上記案内側面によって案内される被案内側面と、上記案内空間内に侵入した異物を排除する排除手段とを備えたことを特徴とするエレベータドア案内装置である。
【発明の効果】
【０００８】
この発明のエレベータドア案内装置によれば、エレベータ出入口敷居の案内溝に入った異物を大きな確率で排除できる。
【発明を実施するための最良の形態】
【０００９】
実施の形態１．
図１はこの発明のエレベータドア案内装置の一実施形態を示す概略断面図であり、図２はエレベータドア案内装置を示す平面図であり、図３はエレベータドア案内装置を示す側面図である。図１〜３において、エレベータドア案内装置は、エレベータの出入口の敷居１に設けられた案内溝２と、出入口を開閉するドア３に取り付けられて、案内溝２内で案内されて敷居１に沿って移動するドアシュー４とを備えている。
【００１０】
案内溝２は、敷居１に沿って延びていて、敷居１の頂面５に開いており、互いに平行に対向して間に案内空間６を形成する一対の案内側面７と底面８とを持っている。ドアシュー４は、ドア３の下端に支柱９によって取り付けられており、図示の例ではほぼ直方体のブロック状の部材であり、案内溝２の案内空間６内で、案内側面７によってドアシュー４の進行方向（図１で紙面に垂直な方向、図２で左右方向）に見て側面である被案内側面１０が案内され案内溝２で摺動する。
【００１１】
案内溝２には、案内側面７に設けられて、案内空間６に少なくとも部分的に連通した退避空間１１が設けられている。退避空間１１は、案内空間６から見て外部の外部空間１２に連通した排出口１３を持っていて、図２に示すように万一異物１４が案内溝２内に入り込んだ場合にも、案内空間６から退避空間１１に排除された異物１４がドアシュー４の移動により押されて、外部空間１２に排出できるようにしてある。この意味で、ドアシュー４は、案内溝２の案内側面７によって案内される被案内側面１０と、案内空間６内に侵入した異物１４を押しのけて排除する表面である排除手段１５とを備えている。
【００１２】
図１および２に示す例では、退避空間１１が、案内溝２の比較的薄い側壁に設けられ、側壁の両面間の長穴状の開口空間であり、その開口空間の外端で退避空間１１を外部空間１２に連通させる開口が排出口１３である。この退避空間１１は案内溝２の両側に長さ方向に等間隔で、案内溝２のほぼ全長に亘って設けられている。
【００１３】
このようなエレベータドア案内装置において、敷居１の案内溝２内に例えば小石等の異物１４が侵入した場合に、ドア３の開閉動作を行うと、ドア３と共にドアシュー４がその被案内側面１０で案内溝２の案内側面７に対して摺動しながら案内されて、案内空間６内を図２および３に示す矢印の方向に移動する。すると、ドアシュー４の移動方向に見て前方の表面である排除手段１５が異物１４に衝突して案内溝２内を移動させ、やがて異物１４は案内空間６に対して連通した退避空間１１の位置に達して、案内空間６から退避空間１１に排除される。
【００１４】
ドアシュー４の排除手段１５により案内空間６から退避空間１１に排除された異物１４は、ドアシュー４の移動を妨げることがないので、そこに留まっていても問題ないが、殆どの場合にはドアシュー４の排除手段１５の衝突によって直ちに退避空間１１を通り抜けて排出口１３から外部空間１２に排出され、ドアシュー４と案内溝２との間に挟み込まれてドアシュー４の動きを妨げることがない。
【００１５】
実施の形態２．
図４はこの発明のエレベータドア案内装置の実施形態２を示す概略断面図であり、図５は図４のエレベータドア案内装置を示す平面図である。このエレベータドア案内装置においては、退避空間１１は、案内溝２の両側の案内側面７について全長に亘って設けられており、排出口１３は図１〜３に示すものと同様のものであって部分的である。換言すれば、退避空間１１は案内側面７に設けられて案内空間６に沿って開いた長い溝であり、この溝の底（案内溝２の側面）に複数個の長孔状の開口である排出口１３が設けてある。案内側面７は、実施の形態１のものと比較して幅が狭くなっている。その他の構成は、図１〜３に示す実施の形態１と同様である。
【００１６】
このエレベータドア案内装置においても、案内側面７に設けられて、案内空間６に連通した退避空間１１が設けられているので、出入口敷居１の案内溝２に入った異物１４を確実に排除できるが、案内溝２のほぼ全長に亘ってドアシュー４の側面に退避空間１１が形成されているので、異物１４を容易に退避空間１１内に排除することができる。
【００１７】
実施の形態３．
図６はこの発明のエレベータドア案内装置の実施形態３を示す概略断面図であり、図７は図６に示すエレベータドア案内装置を示す平面図である。このエレベータドア案内装置においては、退避空間１１が案内溝２の一側だけに全長に亘って設けられており、排出口１３は退避空間１１の底部である案内溝２の底面８に、案内溝２の側方で案内溝２の長さ方向に長孔状に部分的に設けられている。
【００１８】
このエレベータドア案内装置においても、案内空間６に連通した退避空間１１が設けられているので、出入口敷居１の案内溝２に入った異物１４を確実に排除できるが、案内溝２のほぼ全長に亘ってドアシュー４の側面に退避空間１１が形成されていて、排出口１３が底面８に設けられているので、異物１４を外部空間１２へ容易に排除することができる。
【００１９】
実施の形態４．
図８はこの発明のエレベータドア案内装置の実施形態４を示す概略断面図であり、図９は図８のエレベータドア案内装置を示す平面図である。このエレベータドア案内装置においては、退避空間１１が案内溝２の長さ方向に部分的であり、また排出口１３も部分的である。図示の例では、敷居１の長さ方向に延びた案内溝２に対して部分的に、敷居１の底面から円筒形の空洞穴がくり抜いてあり、この空洞穴の案内溝２の側壁に食い込んだ部分が退避空間１１となり、退避空間１１が敷居１の底面で外部空間１２に連通した部分が排出口１３となっている。
【００２０】
このエレベータドア案内装置においても、案内空間６に連通した退避空間１１が設けられているので、出入口敷居１の案内溝２に入った異物１４を確実に排除できるが、排出口１３が底面８に設けられているので、異物１４を直ちに外部空間１２に排除することができる。
【００２１】
実施の形態５．
図１０はこの発明のエレベータドア案内装置の実施形態５のドアシュー４を示す正面図であり、図１１は図１０のドアシュー４の側面図であり、図１２は図１０のドアシュー４の底面図である。このドアシュー４は、図１〜９に示すドアシュー４の代わりに使用できるものであり、全体としてほぼ直方体形状のブロック部材であり、案内溝２の案内側面７によって案内される被案内側面１０と、案内空間６内に侵入した異物１４を排除する排除手段１５と、を備えている。
【００２２】
排除手段１５は、案内空間６内から退避空間１１に向かって異物１４を押し出す方向に傾斜した２つの傾斜面１６を備えており、傾斜面１６は、図示の例では、直方体形状のブロックの底面に、頂点部分が互いに離間した二等辺三角形となるように描かれた二本の斜線を、上方に平行移動（掃引）させてできた傾斜した平面に沿って切除して形成されたものである。この傾斜面１６は、底面から約３／５程度の高さにまで延びていて、そこで水平面と交差している。換言すれば、傾斜面１６は、直方体形状の２つの角部が三角柱状に切り落とされて形成されたものであり、残されて傾斜面を持つ部分は断面がほぼ二等辺三角形の柱状体である。
【００２３】
２つの傾斜面１６は互いに離間していて間にドアシュー４の側面である被案内側面１０が残されており、この部分は、乗客の乗降の際などに敷居１が下がったりしてドアシュー４が案内溝２内で上下に移動した場合にも、傾斜面１６と反対側の被案内側面１０と共に案内溝２の案内側面７によって案内され、ドアシュー４と案内溝２との係合関係を正常に維持する。
【００２４】
このドアシュー４は、図６および７に示すように案内溝２の片側にだけ退避空間１１を持つエレベータドア案内装置に用いるのに適している。このドアシュー４を用いれば、案内溝２内の異物１４はドアシュー４の傾斜面１６である排除手段１５によって横方向への力を受けながら案内溝２の案内空間６内を移動させられるので、退避空間１１の位置に到達したときには確実に直ちに退避空間１１に排除される。
【００２５】
実施の形態６．
図１３は、この発明のエレベータドア案内装置の実施形態６のドアシューを示す正面図であり、図１４は図１３のドアシューの側面図であり、図１５は図１３のドアシューの底面図である。このドアシュー４は、図１０〜１２に示す実施の形態５の２つのドアシュー４を傾斜面１６のある側を外側にして矩形の被案内側面１０を互いに張り合わせたような形状であり、ドアシュー４の両側面に排除手段１５があって、４つの傾斜面１６を持っている。傾斜面１６を持つ柱状体は断面がほぼ菱形である。
【００２６】
このドアシュー４においても、異物１４はドアシュー４の排除手段１５によって横方向への力を受けながら案内溝２の案内空間６内を移動させられ、退避空間１１の位置に到達したときには確実に直ちに退避空間１１に排除される。このドアシュー４は、図１〜５お、８よび９に示すように案内溝２の両側に退避空間１１を持つエレベータドア案内装置に用いるのに適している。
【００２７】
実施の形態７．
図１６は、この発明のエレベータドア案内装置の実施形態７のドアシューを示す正面図であり、図１７は図１６のドアシューの側面図であり、図１８は図１６のドアシューの底面図である。このドアシュー４は、直方体形状のドアシュー４の底面からドアシュー４の各側面について１つずつ断面が台形の柱状体を切除して、屏風状に折り曲げられた板状体が残されたものである。板状体は、ドアシュー４の側面の被案内側面１０の延長部分を持つ互いに平行な２つの側板部１７と、側板部１７間を接続する斜板部１８とを備え、斜板部に排除手段１５となる傾斜面１６が設けられている。
【００２８】
このドアシュー４においても、異物１４はドアシュー４の排除手段１５によって横方向への力を受けながら案内溝２の案内空間６内を移動させられ、退避空間１１の位置に到達したときには確実に直ちに退避空間１１に排除される。このドアシュー４も、図１〜５お、８よび９に示すように案内溝２の両側に退避空間１１を持つエレベータドア案内装置に用いるのに適している。
【００２９】
実施の形態８．
図１９は、この発明のエレベータドア案内装置の実施形態８のドアシューを示す正面図であり、図２０は図１９のドアシューの側面図であり、図２１は図１９のドアシューの底面図である。このドアシュー４においては、排除手段１５は、案内空間６内で回転する羽根車１９である。ドアシュー４は、ほぼＴ字型の本体２０と、軸２１によって回転自在に支持された４枚の羽根を持つ２つの羽根車１９とを持つものである。羽根車１９の直径は案内溝２の幅寸法よりも僅かに小さく、ドアシュー４が案内溝２内を移動しているときに羽根が案内溝２の案内側面７に接触すると、羽根車１９が回転するようにしてある。異物１４は、この羽根車１９の回転により案内溝２内の側方に掃き寄せられ、退避空間１１の位置に移動させられたときに確実に退避空間１１内に排除される。
【００３０】
このドアシュー４においても、異物１４はドアシュー４の排除手段１５によって横方向への力を受けながら案内溝２の案内空間６内を移動させられ、退避空間１１の位置に到達したときには確実に直ちに退避空間１１に排除される。このドアシュー４も、図１〜５お、８よび９に示すように案内溝２の両側に退避空間１１を持つエレベータドア案内装置に用いるのに適している。
【００３１】
以上に図示して説明したエレベータ装置は単なる例であって様々な変形が可能であり、またそれぞれの具体例の特徴を全てあるいは選択的に組み合わせて用いることもできる。例えば、図１０〜１２に示すドアシュー４において、切除する三角柱の位置を同じ側でなく異なる側にすれば、傾斜面１６が互い違いになって、案内溝２の両側に退避空間１１が設けられた敷居１と共に用いるのに適したものとなる。
【図面の簡単な説明】
【００３２】
【図１】この発明のエレベータドア案内装置の実施形態１を示す概略断面図である。
【図２】図１のエレベータドア案内装置の敷居を示す平面図である。
【図３】図１のエレベータドア案内装置の敷居を示す側面図である。
【図４】この発明のエレベータドア案内装置の実施形態２を示す概略断面図である。
【図５】図４のエレベータドア案内装置の敷居を示す平面図である。
【図６】この発明のエレベータドア案内装置の実施形態３を示す概略断面図である。
【図７】図６のエレベータドア案内装置の敷居を示す平面図である。
【図８】この発明のエレベータドア案内装置の実施形態４を示す概略断面図である。
【図９】図８のエレベータドア案内装置の敷居を示す平面図である。
【図１０】この発明のエレベータドア案内装置の実施形態５のドアシューを示す正面図である。
【図１１】図１０のドアシューの側面図である。
【図１２】図１０のドアシューの底面図である。
【図１３】この発明のエレベータドア案内装置の実施形態６のドアシューを示す正面図である。
【図１４】図１３のドアシューの側面図である。
【図１５】図１３のドアシューの底面図である。
【図１６】この発明のエレベータドア案内装置の実施形態７のドアシューを示す正面図である。
【図１７】図１６のドアシューの側面図である。
【図１８】図１６のドアシューの底面図である。
【図１９】この発明のエレベータドア案内装置の実施形態８のドアシューを示す正面図である。
【図２０】図１９のドアシューの側面図である。
【図２１】図１９のドアシューの底面図である。
【符号の説明】
【００３３】
１  敷居、２  案内溝、３  ドア、４  ドアシュー、５  頂面、６  案内空間、７  案内側面、８  底面、９  支柱、１０  被案内側面、１１  退避空間、１２  外部空間、１３  排出口、１４  異物、１５  排除手段、１６  傾斜面、１７  側板部、１８  斜板部、１９  羽根車、２０  本体、２１  軸。
【図１】
2010058862.tif 000003
【図２】
2010058862.tif 000004
【図３】
2010058862.tif 000005
【図４】
2010058862.tif 000006
【図５】
2010058862.tif 000007
【図６】
2010058862.tif 000008
【図７】
2010058862.tif 000009
【図８】
2010058862.tif 000010
【図９】
2010058862.tif 000011
【図１０】
2010058862.tif 000012
【図１１】
2010058862.tif 000013
【図１２】
2010058862.tif 000014
【図１３】
2010058862.tif 000015
【図１４】
2010058862.tif 000016
【図１５】
2010058862.tif 000017
【図１６】
2010058862.tif 000018
【図１７】
2010058862.tif 000019
【図１８】
2010058862.tif 000020
【図１９】
2010058862.tif 000021
【図２０】
2010058862.tif 000022
【図２１】
2010058862.tif 000023